(57)【要約】【課題】本発明は、インク袋とインク量検知部へ同時に１段階でインクを再注入する、生産効率の良い再生インクカートリッジの製造方法を提供することを目的とする。【解決手段】インクが貯留されたインクタンクに接続されたインク注入管を吐出口へ挿入する工程と、吐出流路内及び分岐流路内の流路抵抗を調整する工程と、チューブポンプによってインクタンクから吐出口へインクを注入する工程と、を順次行い、流路抵抗は、インク注入管が弁部材を押圧することで調整し、インクを注入する圧力は、インクの注入開始からインクの注入完了まで一定の圧力であり且つ１段階で注入する。【選択図】 図３
2019005909.tif 000002
【特許請求の範囲】
【請求項１】
インクを貯留するためのインク袋と、前記インク袋に設けた開口と、前記インク袋内のインクを吐出するための吐出口と、前記開口と前記吐出口とを接続する吐出流路と、前記吐出流路から分岐して一方が前記吐出流路の前記開口側に接続され他方が前記吐出流路の前記吐出口側に接続された分岐流路と、前記分岐流路の途中に設けたインク量検知部と、を備え、
前記吐出流路内には、プリンタのインク供給針の外周面に密着するシール部材と、前記シール部材と当接して前記吐出流路を閉塞可能な弁部材と、一方が前記吐出流路の前記開口側に当接し他方が前記弁部材を前記シール部材側へ付勢するスプリング部材と、が備えられ、
前記スプリング部材の圧縮が大きいほど前記吐出流路内の流路抵抗が大きくなると共に前記分岐流路内の流路抵抗が小さくなり、前記スプリング部材の圧縮が小さいほど前記吐出流路内の流路抵抗が小さくなると共に前記分岐流路内の流路抵抗が大きくなるインクカートリッジにインクを再注入する再生インクカートリッジの製造方法であって、
インクが貯留されたインクタンクに接続されたインク注入管を前記吐出口へ挿入する工程と、
前記吐出流路内及び前記分岐流路内の流路抵抗を調整する工程と、
チューブポンプによって前記インクタンクから前記吐出口へインクを注入する工程と、
を順次行うことで製造され、
前記流路抵抗を調整する工程は、前記インク注入管が前記弁部材を押圧することで調整され、
前記インクを注入する工程において、インクを注入する圧力は、インクの注入開始からインクの注入完了まで一定の圧力であり且つ１段階で注入することを特徴とする再生インクカートリッジの製造方法。
【請求項２】
前記インクカートリッジは、前記分岐流路が前記吐出流路よりも下側になるように配置されてインクの注入が行われることを特徴とする請求項１の再生インクカートリッジの製造方法。
【発明の詳細な説明】
【技術分野】
【０００１】
本発明は、インクジェット式プリンタに搭載される使用済みのインクカートリッジにインクを再注入する再生インクカートリッジの製造方法に関し、さらに詳しくは、インクを充填可能なインクパックを収容すると共にインク量を検知可能なインクカートリッジにインクを再注入した再生インクカートリッジの製造方法に関する。
【背景技術】
【０００２】
印刷装置の一例として挙げられるインクジェット式プリンタは、通常、装置内のインクカートリッジ装着部に装着されたインクカートリッジに貯留されているインクをインク吐出口から記録ヘッドへ送り込み、この記録ヘッドが用紙等の被記録媒体にインクを噴射・塗布することで、画像や文字の記録を行う。
【０００３】
インクカートリッジには、インクを吐出するための吐出口の付近にインクカートリッジ内のインク量を検知するための検知部が備えられインクの残量を検知することができるタイプがあり、このインクカートリッジの内部にインクを注入する製造方法が知られている。
【先行技術文献】
【特許文献】
【０００４】
【特許文献１】特開２０１１−１１５０７号公報
【発明の概要】
【発明が解決しようとする課題】
【０００５】
しかしながら、上記特許文献では、圧縮コイルばねの圧縮の程度を変えて、液体検出用流路と液体収容部へ片方ずつ、インク注入圧力を変えて２段階でインクを充填する必要があるため、生産効率が悪くなるという問題があった。
【０００６】
そこで、インク注入の生産効率を向上させる必要があり、鋭意研究した結果、本発明の完成に至った。本発明は、インク袋とインク量検知部へ同時に１段階でインクを再注入する、生産効率の良い再生インクカートリッジの製造方法を提供することを目的とする。
【０００７】
この目的は、特許請求の範囲における独立項に記載の特徴の組み合わせにより達成される。また、従属項は本発明の更なる有利な具体例を規定する。
【課題を解決するための手段】
【０００８】
即ち、本発明の第１の発明は、インクを貯留するためのインク袋と、前記インク袋に設けた開口と、前記インク袋内のインクを吐出するための吐出口と、前記開口と前記吐出口とを接続する吐出流路と、前記吐出流路から分岐して一方が前記吐出流路の前記開口側に接続され他方が前記吐出流路の前記吐出口側に接続された分岐流路と、前記分岐流路の途中に設けたインク量検知部と、を備え、前記吐出流路内には、プリンタのインク供給針の外周面に密着するシール部材と、前記シール部材と当接して前記吐出流路を閉塞可能な弁部材と、一方が前記吐出流路の前記開口側に当接し他方が前記弁部材を前記シール部材側へ付勢するスプリング部材と、が備えられ、前記スプリング部材の圧縮が大きいほど前記吐出流路内の流路抵抗が大きくなると共に前記分岐流路内の流路抵抗が小さくなり、前記スプリング部材の圧縮が小さいほど前記吐出流路内の流路抵抗が小さくなると共に前記分岐流路内の流路抵抗が大きくなるインクカートリッジにインクを再注入する再生インクカートリッジの製造方法であって、インクが貯留されたインクタンクに接続されたインク注入管を前記吐出口へ挿入する工程と、前記吐出流路内及び前記分岐流路内の流路抵抗を調整する工程と、チューブポンプによって前記インクタンクから前記吐出口へインクを注入する工程と、を順次行うことで製造され、前記流路抵抗を調整する工程は、前記インク注入管が前記弁部材を押圧することで調整され、前記インクを注入する工程において、インクを注入する圧力は、インクの注入開始からインクの注入完了まで一定の圧力であり且つ１段階で注入することを特徴とする再生インクカートリッジの製造方法である。
【０００９】
本発明の第２の発明は、第１の発明に記載のインクカートリッジは、前記分岐流路が前記吐出流路よりも下側になるように配置されてインクの注入が行われることを特徴とする再生インクカートリッジの製造方法である。
【発明の効果】
【００１０】
本発明の第１の発明である再生インクカートリッジの製造方法は、インクを貯留するためのインク袋と、インク袋に設けた開口と、インク袋内のインクを吐出するための吐出口と、開口と吐出口とを接続する吐出流路と、吐出流路から分岐して一方が吐出流路の開口側に接続され他方が吐出流路の吐出口側に接続された分岐流路と、分岐流路の途中に設けたインク量検知部と、を備え、吐出流路内には、プリンタのインク供給針の外周面に密着するシール部材と、シール部材と当接して吐出流路を閉塞可能な弁部材と、一方が吐出流路の開口側に当接し他方が弁部材をシール部材側へ付勢するスプリング部材と、が備えられ、スプリング部材の圧縮が大きいほど吐出流路内の流路抵抗が大きくなると共に分岐流路内の流路抵抗が小さくなり、スプリング部材の圧縮が小さいほど吐出流路内の流路抵抗が小さくなると共に分岐流路内の流路抵抗が大きくなるインクカートリッジにインクを再注入する再生インクカートリッジの製造方法であって、インクが貯留されたインクタンクに接続されたインク注入管を吐出口へ挿入する工程と、吐出流路内及び分岐流路内の流路抵抗を調整する工程と、チューブポンプによってインクタンクから吐出口へインクを注入する工程と、を順次行うことで製造され、流路抵抗を調整する工程は、インク注入管が弁部材を押圧することで調整され、インクを注入する工程において、インクを注入する圧力は、インクの注入開始からインクの注入完了まで一定の圧力であり且つ１段階で注入する製造方法である。本発明は、上記の製造方法なので、吐出流路と分岐流路へ同時にインクを注入することができるため、インク注入の生産効率を良くすることができる。また、インク注入の圧力が一定且つ１段階であるから、インク注入の圧力を制御する必要が無いため、インク注入の設備を簡素化することができる。
【００１１】
本発明の第２の発明である再生インクカートリッジの製造方法は、第１の発明に記載のインクカートリッジが、分岐流路が吐出流路よりも下側になるように配置されてインクの注入が行われる。本発明は、上記の製造方法なので、分岐流路側へ重力がかかるため分岐流路の流路抵抗が低減し、流路抵抗の調整を容易にすることができる。
【図面の簡単な説明】
【００１２】
【図１】本発明の再生インクカートリッジの製造方法に用いるインクカートリッジの要部断面図である。
【図２】図１のインクカートリッジにインク注入管を挿入した状態の図である。
【図３】本発明の再生インクカートリッジの製造方法を表すフローチャートである。
【発明を実施するための形態】
【００１３】
本発明の１実施形態について図面を参照して説明するが、本発明はこの事例に限られるものではなく、適宜選択が可能である。
【実施例１】
【００１４】
図１から図３に示すように、本実施形態は、インクを貯留するためのインク袋１０と、インク袋１０に設けた開口１１と、インク袋１０内のインクを吐出するための吐出口１２と、開口１１と吐出口１２とを接続する吐出流路１３と、吐出流路１３から分岐して一方が吐出流路１３の開口１１側に接続され他方が吐出流路１３の吐出口１２側に接続された分岐流路１４と、分岐流路１４の途中に設けたインク量検知部１５と、を備え、吐出流路１３内には、プリンタ（図示せず）のインク供給針１００の外周面に密着するシール部材１６と、シール部材１６と当接して吐出流路１３を閉塞可能な弁部材１７と、一方が吐出流路１３の開口１１側に当接し他方が弁部材１７をシール部材１６側へ付勢するスプリング部材１８と、が備えられ、スプリング部材１８の圧縮が大きいほど吐出流路１３内の流路抵抗が大きくなると共に分岐流路１４内の流路抵抗が小さくなり、スプリング部材１８の圧縮が小さいほど吐出流路１３内の流路抵抗が小さくなると共に分岐流路１４内の流路抵抗が大きくなるインクカートリッジ１へインクを再注入する製造方法である。以下、インクカートリッジ１へインクを再注入する再生インクカートリッジの製造方法を説明する。
【００１５】
使用済みのインクカートリッジ１には、インク袋１０内にインクや空気が残存しているため、新しいインクを注入しても所望の発色が得られなくなる場合があり、インクや空気を抜き出す必要がある。具体的には、インクや空気を吸引する吸引ポンプ（図示せず）を吐出口１２に接続し、吸引ポンプによってインクや空気を抜き出す（ステップＳ１）。
【００１６】
次に、インクタンク（図示せず）に接続されたインクチューブ（図示せず）の先端であるインク注入管２２０を吐出口１２へ挿入する（ステップＳ２）。このとき、インク注入管２２０の先端が弁部材１７に接触し、インク注入管２２０の外周面にシール部材１６が密着する構成となり、インク注入管２２０が弁部材１７を押していくと、弁部材１７に当接したスプリング部材１８が圧縮されて吐出流路１３内の流路抵抗が大きくなると共に分岐流路１４内の流路抵抗が小さくなる。
【００１７】
インク注入管２２０の挿入の程度を調整すると、吐出流路１３内の流路抵抗と分岐流路１４内の流路抵抗を近い値に調整することができる（ステップＳ３）。この調整は、インク注入管２２０の挿入の程度を変更して何通りかで試験的にインク注入を行い、吐出流路１３と分岐流路１４へ同時にインクが注入できるインク注入管２２０の位置を確認することで可能となる。この確認は、インクの再注入をしながら行っても良いし、インクの再注入の前に予め行っても良い。この確認した位置までインク注入管２２０を挿入することで、吐出流路１３内の流路抵抗と分岐流路１４内の流路抵抗が近い値になる。
【００１８】
そして、チューブポンプ（図示せず）によって、インクの注入開始からインクの注入完了まで一定の圧力であり且つ１段階で、インク注入管２２０から吐出流路１３及び分岐流路１４を通してインク袋１０内へインクを注入する（ステップＳ４）。以上の工程により、インク袋１０内及び分岐流路１４の途中に配置されたインク量検知部１５内にインクが充填される。この工程によれば、吐出流路と分岐流路へ同時にインクを注入することができるため、インク注入の生産効率を良くすることができる。また、インク注入の圧力が一定且つ１段階であるから、インク注入の圧力を制御する必要が無いため、インク注入圧力を変更する工程を省き、インク注入の設備を簡素化することができると共に、流路抵抗の変動によってインクが吐出流路と分岐流路のいずれかに流れなくなることを抑制できる。
【００１９】
なお、インクカートリッジ１は、分岐流路１４が吐出流路１３よりも流路抵抗が大きい場合、分岐流路１４が吐出流路１３よりも下側になるように配置してインクの注入を行うことが望ましい。この配置にすることで分岐流路１４側へ重力がかかり、分岐流路１４の流路抵抗が低減して吐出流路１３の流路抵抗に近付くため、流路抵抗の調整が容易になる。
【符号の説明】
【００２０】
１…インクカートリッジ
１０…インク袋
１１…開口
１２…吐出口
１３…吐出流路
１４…分岐流路
１５…インク量検知部
１６…シール部材
１７…弁部材
１８…スプリング部材
１００…インク供給針
２２０…インク注入管
【図１】
2019005909.tif 000003
【図２】
2019005909.tif 000004
【図３】
2019005909.tif 000005